(57)【要約】【課題】  セグメント本体の全体としてひび割れやクラックが生じ難いようにする。【解決手段】  トンネル軸芯方向両端面の一対の外主桁１，２と、トンネル周方向両端面の一対の継手板３，４と、トンネル周方向に沿って配置されるスキンプレート５と、外主桁１，２と継手板３，４とスキンプレート５とで囲まれた中埋め部Ｖの補強リブＨと、中埋め部Ｖに位置固定手段Ｋを用いてトンネル周面に沿う状態に固定された埋設鉄筋網Ｔと、中埋め部Ｖに充填された反応硬化性の強度材とを備えたトンネル用セグメントにおいて、位置固定手段Ｋが、埋設鉄筋網Ｔとスキンプレート５との間に介在して相互の離間距離を所定の値に保つスペーサ部Ｋ１と、埋設鉄筋網Ｔへの係止によってその埋設鉄筋網Ｔをスペーサ部Ｋ１に押し当てて固定するフック部Ｋ２とを備えて構成してある。【選択図】        図２
2005120632.tif 000002
【特許請求の範囲】
【請求項１】
トンネル軸芯方向両端面を構成する一対の外主桁と、トンネル周方向両端面を構成する一対の継手板と、トンネル周方向に沿って配置されるスキンプレートと、前記外主桁と継手板とスキンプレートとで囲まれた中埋め部に配置される補強リブと、前記中埋め部に位置固定手段を用いてトンネル周面に沿う状態に固定された埋設鉄筋網と、前記中埋め部に充填された反応硬化性の強度材とを備えたトンネル用セグメントであって、
前記位置固定手段が、前記埋設鉄筋網と前記スキンプレートとの間に介在して相互の離間距離を所定の値に保つスペーサ部と、前記埋設鉄筋網への係止によってその埋設鉄筋網を前記スペーサ部に押し当てて固定するフック部とを備えて構成してあるトンネル用セグメント。
【請求項２】
前記フック部は、その基端部を前記スキンプレートに取り付けてある請求項１に記載のトンネル用セグメント。
【請求項３】
前記フック部は、その基端部を前記補強リブに取り付けてある請求項１に記載のトンネル用セグメント。
【請求項４】
前記スペーサ部は、その基端部を前記スキンプレートに設けてある請求項１〜３の何れか一項に記載のトンネル用セグメント。
【請求項５】
前記スペーサ部は、その基端部を前記補強リブに設けてある請求項１〜３の何れか一項に記載のトンネル用セグメント。
【発明の詳細な説明】
【技術分野】
【０００１】
本発明は、トンネル軸芯方向両端面を構成する一対の外主桁と、トンネル周方向両端面を構成する一対の継手板と、トンネル周方向に沿って配置されるスキンプレートと、前記外主桁と継手板とスキンプレートとで囲まれた中埋め部に配置される補強リブと、前記中埋め部に位置固定手段を用いてトンネル周面に沿う状態に固定された埋設鉄筋網と、前記中埋め部に充填された反応硬化性の強度材（例えば、コンクリートに相当）とを備えたトンネル用セグメントに関する。
【背景技術】
【０００２】
前記中埋め部の中の埋設鉄筋網は、コンクリート等の前記強度材を一体的に固めることでひび割れの防止を図る働きがあり、その効果を発揮させ易くする意味で、可能な限りコンクリート表面側に近い部分に埋設しておくことが好ましい。
また、前記補強リブは、スキンプレートと一体となってセグメント本体に作用する荷重を受けるために設置されており、セグメント本体の厚み寸法の内、スキンプレート側に一体となるように寄せて配置してあるのが一般的である。
そして、従来のこの種のトンネル用セグメントとしては、図１３に示すように、前記埋設鉄筋網Ｔの固定は、補強リブＨの端縁部に埋設鉄筋網Ｔを溶接によって固定する構造を採用していた。即ち、前記位置固定手段Ｋとしては、補強リブＨにその機能を兼用させており、上述のように、埋設鉄筋網Ｔをコンクリートｃ表面側に近い部分に配置できるように、前記補強リブＨの背を高くすることで対応していた（例えば、特許文献１参照）。
【０００３】
【特許文献１】特許第３３３０６６４号公報（図２）
【発明の開示】
【発明が解決しようとする課題】
【０００４】
上述した従来のトンネル用セグメントによれば、コンクリートのひび割れ防止の目的でせっかく埋設鉄筋網を設置してあるのに、前記補強リブに支持させてあることで、その支持部のコンクリート被り部分付近にクラックが発生し易い問題点がある。
即ち、前記補強リブは、セグメント本体に荷重が作用すると、前記スキンプレートと共にその力を受けるわけであるが、その際の挙動は、コンクリートと異なったものとなり易い。従って、埋設鉄筋網を取り付けてある補強リブ端縁部付近においては、両者の挙動差が生み出す応力が集中しやすく、コンクリート被り寸法が薄いとその部分にはクラックが発生し易い。
しかし、クラックの影響を是正するために補強リブそのものの背を低くして、埋設鉄筋網のコンクリート被り寸法を大きく採りすぎると、コンクリート表面側の乾燥収縮に伴う全体的なひび割れが発生し易くなる問題点がある。
よって、従来は、前記埋設鉄筋網が好ましい埋設深度となるように補強リブの背を高めに設定せざるを得ず、補強リブ位置のコンクリート被り部分にクラックが発生し易い状況であった。
【０００５】
そこで、本発明の目的は、上記問題点を解消し、セグメント本体の全体としてひび割れやクラックが生じ難いトンネル用セグメントを提供するところにある。
【課題を解決するための手段】
【０００６】
本発明の第１の特徴構成は、トンネル軸芯方向両端面を構成する一対の外主桁と、トンネル周方向両端面を構成する一対の継手板と、トンネル周方向に沿って配置されるスキンプレートと、前記外主桁と継手板とスキンプレートとで囲まれた中埋め部に配置される補強リブと、前記中埋め部に位置固定手段を用いてトンネル周面に沿う状態に固定された埋設鉄筋網と、前記中埋め部に充填された反応硬化性の強度材とを備えたトンネル用セグメントにおいて、前記位置固定手段が、前記埋設鉄筋網と前記スキンプレートとの間に介在して相互の離間距離を所定の値に保つスペーサ部と、前記埋設鉄筋網への係止によってその埋設鉄筋網を前記スペーサ部に押し当てて固定するフック部とを備えて構成してあるところにある。
【０００７】
本発明の第１の特徴構成によれば、前記位置固定手段が、前記埋設鉄筋網と前記スキンプレートとの間に介在して相互の離間距離を所定の値に保つスペーサ部と、前記埋設鉄筋網への係止によってその埋設鉄筋網を前記スペーサ部に押し当てて固定するフック部とを備えて構成してあるから、これら位置固定手段によって埋設鉄筋網をセグメント本体内の所定の位置に固定することができる。従って、前記補強リブの背を従来のように必要以上に高く設定する必要が無くなり、補強リブ上の前記強度材被り部分にクラック等が発生し難くなる。
即ち、前記埋設鉄筋網のセグメント厚み内での設置位置は、前記強度材にひび割れの生じない最小被り寸法の位置に前記位置固定手段によって設定できるようになり、それに伴って、前記補強リブの背は、その埋設鉄筋網の位置とは無関係に設定することが可能となる。従って、補強リブ設置部分の強度材被りを大きく確保して、その被り部分にクラックが生じるのを防止することが可能となる。
その結果、セグメント本体を全体的にひび割れやクラックが生じ難いものに形成することが可能となり、それに伴って、セグメントとしての耐久性の向上を図ることが可能となる。
【０００８】
本発明の第２の特徴構成は、前記フック部は、その基端部を前記スキンプレートに取り付けてあるところにある。
【０００９】
本発明の第２の特徴構成によれば、本発明の第１の特徴構成による上述の作用効果を叶えることができるのに加えて、フック部による埋設鉄筋網の固定に伴う固定反力を、スキンプレートに確保することができ、より安定した状態に埋設鉄筋網を固定することができる。
【００１０】
本発明の第３の特徴構成は、前記フック部は、その基端部を前記補強リブに取り付けてあるところにある。
【００１１】
本発明の第３の特徴構成によれば、本発明の第１の特徴構成による上述の作用効果を叶えることができるのに加えて、フック部による埋設鉄筋網の固定に伴う固定反力を、補強リブに確保することができ、より安定した状態に埋設鉄筋網を固定することができる。
更には、セグメント本体におけるフック部の位置を、補強リブの設置箇所に集約することが可能となるから、セグメント本体の製造段階での強度材の流動を阻害し難くでき、隅々まで強度材を迅速に行き渡らせて、効率よくセグメント形成作業を実施することが可能となる。
【００１２】
本発明の第４の特徴構成は、前記スペーサ部は、その基端部を前記スキンプレートに設けてあるところにある。
【００１３】
本発明の第４の特徴構成によれば、本発明の第１〜３の何れかの特徴構成による上述の作用効果を叶えることができるのに加えて、スペーサ部による埋設鉄筋網の固定に伴う固定反力を、スキンプレートに確保することができ、より安定した状態に埋設鉄筋網を固定することができる。
【００１４】
本発明の第５の特徴構成は、前記スペーサ部は、その基端部を前記補強リブに設けてあるところにある。
【００１５】
本発明の第５の特徴構成によれば、本発明の第１〜３の何れかの特徴構成による上述の作用効果を叶えることができるのに加えて、スペーサ部による埋設鉄筋網の固定に伴う固定反力を、補強リブに確保することができ、より安定した状態に埋設鉄筋網を固定することができる。
更には、セグメント本体におけるスペーサ部の位置を、補強リブの設置箇所に集約することが可能となるから、セグメント本体の製造段階での強度材の流動を阻害し難くでき、隅々まで強度材を迅速に行き渡らせて、効率よくセグメント形成作業を実施することが可能となる。
【発明を実施するための最良の形態】
【００１６】
セグメント全体としてひび割れやクラックが生じ難いようにする目的を、前記補強リブの背を必要以上に高く設定せずに、且つ、セグメントとしての耐久性の向上を図れる状態で実現した。
以下に本発明の実施の形態を図面に基づいて説明する。尚、図面において従来例と同一の符号で表示した部分は、同一又は相当の部分を示している。
【実施例１】
【００１７】
図２〜図５に示すように、トンネル用セグメントＳは、トンネル軸方向両端の一対の外主桁１，２と、トンネル周方向両端の一対の継手板３，４と、前記一対の継手板３，４間に間隔をあけて並列状態に設置された複数の補強リブＨと、両外主桁１，２及び両継手板３，４及び各補強リブＨに接続されるスキンプレート５とを有したダクタイル製のセグメント本体ｓｈを設け、両外主桁１，２、両継手板３，４、及びスキンプレート５とで囲まれる中埋め部Ｖに充填固化されたコンクリート（反応硬化性の強度材の一例）ｃと、前記中埋め部Ｖのコンクリートｃ中に埋設された埋設鉄筋網Ｔとを設けて構成されている。
【００１８】
参考として図１に示すように、トンネルは、複数（この図では９個）のセグメントＳをトンネル周方向及びトンネル軸方向に連結することで形成されている。尚、符記しないが、９個のセグメントＳをトンネル周方向に連結したものを、単位トンネルリングと呼び、トンネル軸方向で隣合うトンネルリングどうしは、トンネル周方向での連結面がトンネル軸方向で一致しないよう、トンネル周方向に互いに位置ずれさせてトンネル軸方向に多数組付けられている。
【００１９】
前記外主桁１，２、継手板３，４には、図２、図３に示すように、隣接するセグメントＳとの連結のための複数のボルト挿通孔６や、連結ボルトを螺合自在な複数の雌ねじ部７がそれぞれ設けられている。また、前記補強リブＨは、図に示すように、前記継手板３，４より背が低い寸法設定で形成してあり、セグメントＳの厚み内で外周側に位置し、前記スキンプレート５、及び、両外主桁１，２と一体的に形成されている。
そして、補強リブＨには、後述するフック部Ｋ２を係止させる係止孔Ｈａと、スペーサ部Ｋ１とが設けられている。
尚、前記埋設鉄筋網Ｔは、トンネル周方向に沿った円弧形状に成形された第一鉄筋Ｔ１の複数と、それら第１鉄筋Ｔ１を所定の間隔で並設状態に連結一体化する第二鉄筋Ｔ２の複数とを備えて構成してある。これら両鉄筋Ｔ１，Ｔ２は、互いの交差部を溶接（又は結束線による結束）によって一体化して、碁盤状の鉄筋網を形作っている。そして、この埋設鉄筋網Ｔは、中埋め部Ｖに打設されるコンクリートｃと一体となることで、コンクリートｃ表面のひび割れ防止を図っている。
【００２０】
前記セグメント本体ｓｈには、前記中埋め部Ｖにコンクリートｃを充填する前に、前記埋設鉄筋網Ｔを所定位置に固定するための位置固定手段Ｋが設けてあり、この位置固定手段Ｋによって、前記埋設鉄筋網ＴがセグメントＳの内周側に最小のコンクリート被りを確保できる状態に固定することができる。
因みに、この位置固定手段Ｋは、当該実施例においては、図３に示すように、埋設鉄筋網Ｔと前記スキンプレート５との間に介在して相互の離間距離を所定の値に保つスペーサ部Ｋ１と、前記埋設鉄筋網Ｔへの係止によってその埋設鉄筋網Ｔを前記スペーサ部Ｋ１に押し当てて固定するフック部Ｋ２とを設けて構成してある。
【００２１】
前記スペーサ部Ｋ１は、図に示すように細長形状に形成してあり、その基端部が、前記補強リブＨに取り付けられている。そして、先端部に前記埋設鉄筋網Ｔが載置できるように構成されている。
前記フック部Ｋ２は、やはり棒状体８で形成してあり、両端部がそれぞれフック形状に屈曲させてある。両端部のフックは、折れ曲がり角が異なるように形成してあり、当該実施形態では、基端部のフック８ａは、『Ｌ』字形状で、先端部のフック８ｂは、『Ｕ』字形状に形成してある。そして、先端部のフック８ｂを前記埋設鉄筋網Ｔに対して係止させると共に、その係止部を中心として揺動操作して基端部のフック８ａを前記補強リブＨの係止孔Ｈａに係止させることで、埋設鉄筋網Ｔを前記スペーサ部Ｋ１に押し付ける状態に固定することができ、前記基端部のフック８ａの形状により、一連のフック部Ｋ２の揺動固定操作をスムースに実施することが可能となっている。
【００２２】
本実施例のセグメントＳによれば、スペーサ部Ｋ１上に埋設鉄筋網Ｔをセットして、フック部Ｋ２を取り付けるだけで簡単に埋設鉄筋網Ｔの固定を行うことができ（図３、図４参照）、後は、中埋め部Ｖにコンクリートｃを打設して一体的に固めるだけで、極めて、効率的にセグメントの製作を実施することができる（図４、図５参照）。
更には、前記埋設鉄筋網Ｔを、セグメント内周側のコンクリート表面近くに埋設してあることで、コンクリート表面のひび割れ防止効果が高いことに加えて、補強リブＨ上には充分なコンクリート被りを確保してあることで、従来のような補強リブＨ近傍のコンクリートクラックが入るのを防止し易くなり、セグメントとしての耐久性の向上を図ることが可能となった。
【実施例２】
【００２３】
以後、前記実施例１と同様の構成に関しては、重複する説明を避け、異なる部分を中心に説明する。
本実施例のセグメントＳは、位置固定手段Ｋの構成が異なっており、図６に示すように、位置固定手段Ｋを構成するスペーサ部Ｋ１、及び、フック部Ｋ２の取り付け箇所が、補強リブＨと位置ずれさせた箇所に設定してある。
【００２４】
前記スペーサ部Ｋ１は、図７に示すように、スキンプレート５の内周面に立設状態に一体に設けられた矩形板１０で構成してある。この矩形板１０は、中埋め部Ｖ内の複数箇所に点在させて設けられている。そして、先端辺部で、埋設鉄筋網Ｔを受け止めるように構成されている。
【００２５】
また、前記フック部Ｋ２の基端部を係止させるための係止板１１も、スキンプレート５の内周面に立設状態に一体に設けてある。この係止板１１は、フック部Ｋ２の基端部フック８ａを係止させるための係止孔１１ａが形成してあり、中埋め部Ｖ内の複数箇所に点在させて設けられている。
そして、フック部Ｋ２は、先の実施例と同様のものを使用し、各スペーサ部Ｋ１上に埋設鉄筋網Ｔを載置した状態で、フック部Ｋ２を前記係止孔１１ａと埋設鉄筋網Ｔとにわたって係止させることで埋設鉄筋網Ｔの固定を実施してある。
【実施例３】
【００２６】
本実施例のセグメントＳは、図８、図９に示すように、スペーサ部Ｋ１を、スキンプレート５の内周面に立設状態に一体に設けられた円柱状の棒状台１２で構成してある。この棒状台１２は、中埋め部Ｖ内の複数箇所に点在させて設けられている。そして、この棒状台１２の先端面部で、埋設鉄筋網Ｔを受け止めるように構成されている。
一方、フック部Ｋ２は、先の実施例１との場合と同様の構成であり、補強リブＨに形成した係止孔Ｈａに基端部のフック８ａを係止させると共に、先端部のフック８ｂを埋設鉄筋網Ｔに係止させることで埋設鉄筋網Ｔの固定を実施してある。
【００２７】
〔別実施例〕
〈１〉トンネル用セグメントは、先の各実施形態で説明した構造のセグメント本体ｓｈで構成されているものに限らず、例えば、補強リブＨが、両継手板３，４に沿わせて並列状に設置されたもの以外にも、両外主桁１，２間に沿わせて並列状に設置されたものを備えた構成であってもよい。
更には、図１０、図１１に示すように、一対の外主桁１，２間に、一対の中主桁１２，１３を備えた所謂「コルゲート」タイプのものであってもよい。
この例によれば、スキンプレート５は、外主桁１，２と中主桁１２，１３間においては、トンネル外周側に位置させてあり、中主桁１２，１３間においては、トンネル内周側に位置させてある。
そして、スペーサ部Ｋ１は、中主桁１２，１３間のスキンプレート５の内周面上に立設状態に設けてあり、フック部Ｋ２は、先の実施例と同様の構成のものを使用してある。従って、補強リブＨに形成した係止孔Ｈａに基端部のフック８ａを係止させると共に、前記スペーサ部Ｋ１上に載置した埋設鉄筋網Ｔに先端部のフック８ｂを係止させることによって、埋設鉄筋網Ｔの固定を図ることができる。また、その状態で、中埋め部Ｖにコンクリートｃを打設して、一体的なセグメントが形成されている。
また、埋設鉄筋網Ｔは、図１２に示すように、セグメントの補強リブＨ上に、第二鉄筋Ｔ２が重ならない状態に形成することも可能で、この場合には、前記フック部Ｋ２は、図１２に示すように、先端部のフック８ｂを、第一鉄筋Ｔ１に係止できるように、前記基端部のフック８ａと捻れの位置関係になるように形成すると、支障なく取り付け操作を実施することができる。
〈２〉また、セグメント本体は、先の実施例で説明した鋳鉄で形成したものに限るものではなく、例えば、鉄等の他の金属によって形成してあるものであってもよい。また、中埋め部Ｖに充填する反応硬化性の強度材は、コンクリートに限るものではなく、例えば、モルタル等のセメント硬化物や、発泡樹脂等の合成樹脂硬化物等であってもよい。
【００２８】
尚、上述のように、図面との対照を便利にするために符号を記したが、該記入により本発明は添付図面の構成に限定されるものではない。
【産業上の利用可能性】
【００２９】
コンクリート等の反応硬化性の強度材にひび割れやクラックが生じ難くなったことで、セグメントそのものの耐久性をより向上させることが可能となる。
【図面の簡単な説明】
【００３０】
【図１】シールドトンネルでのセグメントの設置状況を示す説明斜視図
【図２】実施例１のセグメントにおけるコンクリート打設前の状態を示す斜視図
【図３】実施例１のセグメントのトンネル軸芯方向視断面図
【図４】実施例１のセグメントの一部切欠き内表面図
【図５】実施例１のセグメントのトンネル周方向視断面図
【図６】実施例２のセグメントにおけるコンクリート打設前の状態を示す要部斜視図
【図７】実施例２のセグメントのトンネル周方向視断面図
【図８】実施例３のセグメントにおけるコンクリート打設前の状態を示す要部斜視図
【図９】実施例３のセグメントのトンネル周方向視断面図
【図１０】別実施例のセグメントにおけるコンクリート打設前の状態を示す要部斜視図
【図１１】別実施例のセグメントのトンネル周方向視断面図
【図１２】別実施例のセグメントにおける埋設鉄筋網Ｔの固定状況を示す説明図
【図１３】従来のセグメントのトンネル周方向視断面図
【符号の説明】
【００３１】
１      外主桁
２      外主桁
３      継手板
４      継手板
５      スキンプレート
ｃ      コンクリート（反応硬化性の強度材の一例）
Ｈ      補強リブ
Ｋ      位置固定手段
Ｋ１    スペーサ部
Ｋ２    フック部
Ｔ      埋設鉄筋網
Ｖ      中埋め部
【図１】
2005120632.tif 000003
【図２】
2005120632.tif 000004
【図３】
2005120632.tif 000005
【図４】
2005120632.tif 000006
【図５】
2005120632.tif 000007
【図６】
2005120632.tif 000008
【図７】
2005120632.tif 000009
【図８】
2005120632.tif 000010
【図９】
2005120632.tif 000011
【図１０】
2005120632.tif 000012
【図１１】
2005120632.tif 000013
【図１２】
2005120632.tif 000014
【図１３】
2005120632.tif 000015